(57)【要約】      （修正有）【課題】ペン箱等の他の器具を介することもなく、筆記用具を直接パネル等に吸着可能であり、しかも安価に得られる筆記用具であって、例えば家庭の主婦が料理しながら傍の冷蔵庫の扉、側壁等に手軽に着脱自在に吸着支持することができる永久磁石付きの筆記用具を提供する。【解決手段】筆記用具Ｐの本体軸部１に永久磁石１０を固着した永久磁石付き筆記用具であって、永久磁石は、サマリュウムコバルト永久磁石、又は、ネオジュウム永久磁石であることを特徴とする永久磁石付き筆記用具である。【選択図】図２
0003137267.tif 000002
【実用新案登録請求の範囲】
【請求項１】
筆記用具の本体軸部に永久磁石を固着したことを特徴とする永久磁石付き筆記用具 。
【請求項２】
筆記用具の前記本体軸部の外周面に永久磁石を固着し、この磁極面を前記外周面から僅かに突出させたことを特徴とする請求項１記載の永久磁石付き筆記用具 。
【請求項３】
前記永久磁石はリング状であって、前記本体部軸の外周面に嵌着したことを特徴とする請求項１記載の永久磁石付き筆記用具 。
【請求項４】
前記永久磁石は、サマリュウムコバルト永久磁石、又は、ネオジュウム永久磁石であることを特徴とする請求項１記載の永久磁石付き筆記用具
【考案の詳細な説明】
【技術分野】
【０００１】
本考案は、永久磁石付きの筆記用具に関する。詳しくは、不使用時に磁性材からなる冷蔵庫の扉、パネル等に直接吸着支持可能であり、日常ちょっとしたメモを書く時等に便利な永久磁石付き筆記用具に関するものである。
【背景技術】
【０００２】
筆記用具には様々なものが有り、鉛筆、毛筆、万年筆、ボールペン、シャープペンシル等がある。これらの筆記用具の中には、筆記用具とペン箱とがセットになっているものがあるが、特に、ペン箱に永久磁石が付設されており、この永久磁石を介してペン箱をパネルに吸着させ、この中に複数本の筆記用具を入れて一時保管する。
【０００３】
このようなペン箱について詳しく述べると、ボールペン等の筆記用具を冷蔵庫やスチール机、あるいはキャビネット等の磁性材から成るパネルに固定する場合、一般的には樹脂等成形した永久磁石付きのペン箱をパネルに吸着し、このペン箱にボールペン等の筆記用具を保管する。しかし、こうしたペン箱は、次の問題点を有し、ペン箱が合成樹脂成形品の場合、金型起こしから行わなければならずコスト高となる。また、通常は筆記用具を複数本保管するため、その分の重量と自重に耐える強力な永久磁石を用いなければならず、これもコストを上げる要因となる。永久磁石の吸着力を強化するためにヨーク部材を用いると、パネルに傷がつき易い。
【０００４】
あるいは、家屋の周囲やビル内等における電気、ガス、水道等に関するメーターの検針、設備の点検や修理あるいは計測等の作業を行なう際には、ボールペン等の筆記用具がしばしば使用される。このような場合には、文字、数字等を筆記する作業と他の点検等作業とが交互に繰り返されることが多い。即ち、文字、数字等を筆記した後、例えば工具等を用い何等かの作業を行ない、再び文字、数字等を筆記することが多い。一旦筆記作業を行なった後、次の筆記作業を行なうまでの間、筆記用具 は一般に作業者の被服のポケットに収納、係止させておくが、ポケットから筆記用具を出し入れ、あるいはポケットに係止することが面倒である。このようなことは、机等の筆記台がない場所で筆記用具を使用する時に、筆記用具を近くの設備等に都合良く置くことができないために生じ易い。
【０００５】
一方、このような永久磁石付きの筆記用具には数々の工夫がなされ、その中で次のような磁性体付き筆記用具に関する考案が提案されている。この考案は、筆記用具を把持した指先や手の甲に磁界を作用させて新陳代謝を促進させ、肩こり、疲労感を自然に解消させて健康を保持できる目的とするもので、筆記用具のグリップ部となる周側面位置に永久磁石を設ける。このことによって、筆記用具を把持した指先や手の甲に永久磁石の磁界が作用して新陳代謝が促進され、肩こり、疲労感等が自然に解消されて健康を保持できる（特許文献１）。
【０００６】
【特許文献１】実用新案登録第３０１９７００号公報
【考案の開示】
【考案が解決しようとする課題】
【０００７】
以上の通りであって、特許文献１に代表されるように、従来の永久磁石付き筆記用具には、まとめると、次のような問題点がある。
【０００８】
即ち、従来の永久磁石付き筆記用具の問題点の第一は、指先や手の甲に磁界を作用させることを主なる目的とするので、筆記用具に永久磁石を設けても永久磁石の吸着力が弱い。従って、冷蔵庫の扉等に筆記用具を吸着しても直ぐ落下し易い。
【０００９】
第二に、前述のペン箱の場合、パネルから出っ張って邪魔になる。ペン箱の中に筆記用具を収納するのではなく、もし、冷蔵庫の側壁のように磁性材から成る面に、直接筆記用具を容易に脱着させることができればとても便利である。例えば、家庭の主婦が料理の最中に、メモをしたいことを思いついた時や、買い物したいと思った項目を書き留めたいときに、近くに筆記用具が無くて探すのに苦労することがある。そして、筆記用具を探している最中に書き留めておくべき内容を忘れてしまうことが往々にしてある。そんな時、傍の冷蔵庫の扉等目につく所に、筆記用具が保持されていると、筆記用具を探す手間も無くすぐに書き留めることができるので便利である。
【００１０】
また、電気、ガス、水道等に関するメーターの検針、設備の点検や修理あるいは計測等の屋外の作業においては、一旦筆記作業を行なった後、次の筆記作業を行なうまでの間、筆記用具 は一般に作業着のポケットに収納、あるいは係止させておく。しかし、このようにポケットから筆記用具の出し入れ、着脱することは作業中なので面倒である。
【００１１】
そこで、本考案は、ペン箱等の他の器具を介することもなく、筆記用具を直接パネル等に吸着可能であり、しかも安価に得られる筆記用具であって、例えば家庭の主婦が料理しながら傍の冷蔵庫の扉、側壁等に手軽に着脱自在に吸着支持することができる永久磁石付きの筆記用具を提供することを目的とする。
【課題を解決するための手段】
【００１２】
そこで、本考案者等は、冷蔵庫の扉が磁性体であることに着目し、筆記用具に永久磁石を装着することにより直接冷蔵庫に吸着させることへと着想を展開し、この着想に基づき永久磁石付きの筆記用具を試作したところ、道具を新たに設けることなく、身近な冷蔵庫を利用して筆記用具を手軽に着脱できるという知見を得た。本考案の永久磁石付き筆記用具はかかる知見を基に具現化したもので、請求項１の考案は、筆記用具の本体軸部に永久磁石を固着したことを特徴とする永久磁石付き筆記用具である。また、請求項２の考案は、請求項１の考案の上記特徴に加えて、筆記用具の前記本体軸部の外周面に永久磁石を固着し、この磁極面を前記外周面から僅かに突出させたことを特徴とする筆記用具である。また、請求項３の考案は、請求項１の考案の上記特徴に加えて、前記永久磁石はリング状であって、前記本体部軸の外周面に嵌着したことを特徴とする永久磁石付き筆記用具である。また、請求項４の考案は、請求項１の考案の上記特徴に加えて、前記永久磁石は、サマリュウムコバルト永久磁石、又は、ネオジュウム永久磁石であることを特徴とする永久磁石付き筆記用具である。
【考案の効果】
【００１３】
本考案によれば、筆記用具の本体軸部に外周面からはみ出さない程度の大きさの永久磁石を固着して外周面に磁極面を露出させてあるので、ペン箱等の器具を用いることなしに、筆記用具を直接パネルに固着できる。製造コストも安価にできる。また、スチール机などの水平なパネル上を筆記用具が転がることもなく、ヨークを利用しないのでパネルを傷つけることもない。その他、屋外で作業する場合でも、傍の磁性材からなる壁や、物置小屋、トタン屋根等に容易に筆記用具を吸着支持することができ、容易に脱着できるので使い勝手がよい等の効果を奏するものである。
【考案を実施するための最良の形態】
【００１４】
本考案の実施の形態を、添付図面に示した本考案の実施例に基づいて以下に具体的に説明する。
【実施例】
【００１５】
先ず、本考案の実施例について、図１〜図４を参照しながら説明する。図１は、本実施例に係るボールペンの軸本体に小片の永久磁石を装着した状態を示す斜視図である。図２は、他の形態に係るボールペンの使用状態を示す断面図である。図３は、他の実施例に係るシャープペンシルの軸本体に長尺の永久磁石を装着した状態を示す斜視図である。図４は、他の実施例に係るシャープペンシルの軸本体にリング状の永久磁石を装着した状態を示す斜視図である。図５は、他の実施例に係る鉛筆の軸本体に円筒状の永久磁石を装着した状態を示す斜視図である。
【００１６】
図１では、本体軸部に永久磁石の小片を設けた状態を示す。図中、筆記用具Ｐはボールペンで、本体軸部１の上方にキャップ３が被さり、このキャップ３の内方に図示しないペン先を備え、図示の下方端に基部５を備える。そして、円筒状の本体軸部１の外周面の適宜箇所に小片の永久磁石１０を装着する。永久磁石１０は、本体軸部１の径よりも小片の薄く平たい盤状で、本体軸部１の所定位置に形成した図示しない孔に、永久磁石１０を圧入もしくは接着剤を介して固定する。永久磁石１０は、本体軸部１の外周面の法線方向に、即ち、外周曲面上の一点においてその点での接線に垂直な方向にＮＳの磁極を形成するように磁化される。図２は他の形体の筆記用具を吸着させた状態を示す。筆記用具Ｐはボールペンで、本体軸部１の上方に基部５を備え、本体軸部１の下方にペン先２を備える。そして、円筒状の本体軸部１の外周面の適宜箇所に、取り付け孔４を設けこの中に永久磁石５を嵌めこみ接着剤を使って固着する。永久磁石１０は、本体軸部１の径よりも小径の薄く平たい盤状をしている。永久磁石１０の磁極面が、取り付け孔４から若干突出するようにして固定されている。磁極面の突出し度合いは、本体軸部１の軸径と、図示上方の基部５の外径との差を埋めるに必要な程度とする。あるいは、図示しないキャップをペン先２に被せた場合は、突出し度合いは、キャップの外径との差を埋めるに必要な程度とする。勿論、ＮＳの磁極面は本体軸部１の外周面と同一でも良いし、キャップ外周面より若干内に窪んで取付けられても良い。永久磁石１０における磁極の方向は、図１の場合と同様に、本体軸部１の外周面の法線方向に磁化され、即ち、外周曲面上の一点においてその点での接線に垂直な方向にＮＳの磁極が形成される。筆記用具Ｐはこのような構成であり、筆記用具Ｐの本体軸部１に接着、固定された永久磁石１０を介して、筆記用具Ｐは冷蔵庫扉等の磁性体のパネル１１に吸着、保持される。
【００１７】
図３は、筆記用具の本体軸部に長尺の永久磁石を設けた状態を示す斜視図であり、筆記用具Ｐは他の実施例に係るシャープペンシルで、本体軸部１の右方に基部５、左方にペン先２を備える。そして、円筒状の本体軸部１の外周面の適宜箇所に長尺の永久磁石１０を軸方向に沿って接着する。永久磁石１０は、本体軸部１の外周面の法線方向に磁化され、即ち、外周曲面上の一点においてその点での接線に垂直な方向にＮＳの磁極が形成される。
【００１８】
また、図４に、他の形体の筆記用具Ｐを示す。筆記用具Ｐはシャープペンシルで、本体軸部１の右方に基部５、左方にペン先２を備える。そして、円筒状の本体軸部１の外周面の適宜箇所にリング状の永久磁石１０を本体軸部１の外周面に嵌着する。リング状の永久磁石１０の寸法は、例えば肉厚１ミリメートルのリングで、幅寸法は８ミリメートルである。ここで、リング状の永久磁石１０の磁極方向について説明する。永久磁石１０の直径方向にＮＳ磁極を形成し、即ち、リング状の一方の半円部がＮ極、他方の半円部がＳ極となる。あるいは、外周面に沿って交互にＮ、Ｓ極を多極に形成する。この例では、永久磁石１０は、本体軸部１の外周面に接着剤を介して固着されている。図２の例のように、取り付け孔を形成するものではないから、その分、筆記用具の製造が容易であり、既存のボールペンにもそのまま適用できる。その他、図５に、他の形体の筆記用具Ｐを示す。筆記用具Ｐは鉛筆で、本体軸部１の軸方向に鉛筆の芯６が貫通する。この本体軸部１の断面を貫通し、芯６と交叉するように穿孔した取り付け孔４に円筒状の永久磁石１０を嵌めこみ、接着剤を使って固着する。この永久磁石１０の寸法は、例えば直径３ミリメートルである。円筒状の永久磁石１０は、この軸方向にＮＳの磁極を形成するように磁化される。
【００１９】
以上のように構成され、次に作用について説明する。
【００２０】
以上実施例に示した筆記用具Ｐの本体軸部１を磁性体からなるパネル１１に近づけると、図２の断面図に示すように永久磁石１０によって筆記用具Ｐはパネル１１に吸着される。即ち、筆記用具Ｐの本体軸部１に固着された永久磁石１０を介して、筆記用具Ｐは冷蔵庫扉等の磁性体のパネル１１に吸着、保持される。例えば、家庭の主婦が料理の最中にメモを思いついたときや、買い物したい物を書き留めたいときに、傍の冷蔵庫の扉等の目につく所に、筆記用具を吸着、保持させておき、探す手間も無く直ぐにメモを書き留めることができるので便利である。また、パネル１１の前方からは永久磁石１０が見えず、従来のペン箱のように余分な出っ張りもなく、すっきりしていて邪魔にならない。ボールペン、シャープペンシル等の筆記用具Ｐの本体軸部１に取り付け孔４を加工して永久磁石１０を埋め込み、あるいは永久磁石１０を本体軸部１に接着するだけなので安価にできる。
【００２１】
その他、電気、ガス、水道等に関するメーターの検針、設備の点検や修理等、屋外での作業の際、机等の筆記台がない場所で筆記用具を使用することになる。このような場合、作業着のポケットから筆記用具を出し入れする不便さがあるが、磁石付きの筆記用具を使用することによって、作業場の傍の磁性材からなるトタン壁や、スチール物置、トタン屋根等に手軽に筆記用具を吸着できるので使い勝手が良い。
【００２２】
本体軸部１に永久磁石１０が取付けられているため、例えばスチール机の表面に置いたときに、机表面に筆記用具Ｐは吸着されて転がり落ちることがない。永久磁石１０の露出するＮ、Ｓの磁極を同一磁極にしておけば、例えばペン箱内で複数本の筆記用具Ｐの永久磁石１０同士が互いに反発しあって接触しにくくなり、本体軸部１同士が擦れ合うこともない。
【００２３】
永久磁石の材質として、例えば希土類が好ましい。特に、図１、２及び５に示す筆記用具には、例えば希土類磁石が好ましく、中でもサマリウムコバルト磁石（Ｓｍ−Ｃｏ）又は、ネオジム永久磁石(Ｎｄ−Ｆｅ−Ｂ)は小片でも吸着力が強い。図３に示す長尺の永久磁石は、フェライト磁粉を焼結したフェライト磁石、あるいは、フェライト磁粉を合成樹脂又は合成ゴムと混合して固めたフェライトゴム又はフェライトプラスチック磁石を使用している。永久磁石素材の磁力は弱いが、安価なので経済的である。図示の通り、長尺化あるいは可能な限りサイズアップして永久磁石素材の持つ吸着力の弱さを補強する。図４に示すリング磁石の場合、筆記用具の本体軸部外周面から出っ張り代を小さくするために、好ましくは素材の磁力に優れる希土類からなる永久磁石がよい。永久磁石の材質又はサイズは、筆記用具Ｐの重量を支持するに十分な範囲で適宜選択され、筆記用具Ｐの吸着力は基本的には永久磁石素材の持つ磁力に左右される。磁力が小さい永久磁石素材を選択するときは永久磁石をサイズアップして吸着面積を大きくする。反対に磁力が大きい永久磁石素材を選択するときは永久磁石１０をサイズダウン可能で吸着面積を小さくして筆記用具Ｐ全体をコンパクトにすることができる。
【産業上の利用可能性】
【００２４】
なお、本考案の永久磁石付き筆記用具に採用した永久磁石の使用方法は、筆、万年筆、ボールペン、鉛筆、シャープペンシル等の筆記用具に限るものではなく、屋外での作業で使用する検査具、巻尺、工具等に永久磁石を装着し、これらを傍のパネルに取り敢えず吸着し、必要に応じて外して使う等の用途に使ってもよい。
【図面の簡単な説明】
【００２５】
【図１】本実施例に係るボールペンの軸本体に小片の永久磁石を装着した状態を示す斜視図である。
【図２】他の形態に係るボールペンの使用状態を示す断面図である。
【図３】他の実施例に係るシャープペンシルの軸本体に長尺の永久磁石を装着した状態を示す斜視図である。
【図４】他の実施例に係るシャープペンシルの軸本体にリング状の永久磁石を装着した状態を示す斜視図である。
【図５】他の実施例に係る鉛筆の軸本体に円筒状の永久磁石を装着した状態を示す斜視図である。
【符号の説明】
【００２６】
Ｐ  筆記用具
１  本体軸部
２  ペン先部
３  キャップ
４  取り付け孔
５  基部
６  芯
１０  永久磁石
１１  パネル
【図１】
0003137267.tif 000003
【図２】
0003137267.tif 000004
【図３】
0003137267.tif 000005
【図４】
0003137267.tif 000006
【図５】
0003137267.tif 000007